(57)【特許請求の範囲】
【請求項１】
内壁面に入浴者の背中を座臥姿勢で支えるための背もたれ部を備え、
背もたれ部は、底部から上縁まで連続して設けられて外方へ傾斜し、
背もたれ部の高さ方向中間部における上下に離間した位置にそれぞれ第一凹部を備え、
各第一凹部は、背もたれ部から外側に向けて凹んで全周囲で背もたれ部に囲まれ、
入浴者が後頭部を第一凹部に載せて浴槽内で仰向けの寝湯姿勢をとることができる、浴槽。
【請求項２】
前記内壁面の上縁に入浴者の頸部を支える第二凹部を備え、該第二凹部及び前記第一凹部は内壁面の上下に離間した位置にそれぞれ設けられ、
入浴者が頸部を第二凹部に支えられて浴槽内で坐臥の姿勢をとることができる、請求項１に記載の浴槽。
【請求項３】
前記内壁面と対向した他の内壁面の、前記第一凹部より低い位置に、入浴者の後頭部を載せる第三凹部を備えた、請求項１又は２に記載の浴槽。
【請求項４】
前記底部の一方の端部にステップが形成され、ステップに対向する前記内壁面に前記第１凹部を備えた前記背もたれ部が形成されている、請求項１乃至３の何れかに記載の浴槽。
【発明の詳細な説明】
【技術分野】
【０００１】
本発明は浴槽に係り、特に少ない湯量で入浴者が全身浴を行える浴槽の構造に関するものである。
【背景技術】
【０００２】
図７に示すように、従来の浴槽１００はステップ１０５を備えた底部１１０とこの底部１１０の周縁から立ち上がった側壁部１２０とから構成されている。この浴槽１００に入浴する場合は、図８に示すように入浴者が底部１１０に座った姿勢、即ち、座臥の姿勢で肩まで湯に浸かる全身浴に加えて、図９に示すようにステップ１０５に腰を下ろして腹部の例えばみぞおち程度まで湯に浸かる半身浴を楽しむことができる。
【発明の開示】
【発明が解決しようとする課題】
【０００３】
上述した従来の浴槽１００は、全身浴の場合に、座臥姿勢の入浴者の大凡肩の位置まで湯に浸り得る深さに設計されている。
しかし、通常の全身浴の場合は、多くの湯量を必要とすることから、水道光熱費が嵩んでしまうことになる。とくに最近、水道代、ガス代等のランニングコストやエネルギー消費に対する意識が高まっていることから、入浴者は少ない湯量で入浴する場合がある。少ない湯量で全身浴を行うには、図１０に示すようにユーザーは浴槽１００内で低い姿勢、即ち仰向けの寝湯姿勢をとらなければならないが、従来の箱型の浴槽１００は、上体を起こした座臥姿勢で入浴することを前提に設計されており、湯量を少なくして座臥姿勢で全身浴を行うことを想定していない。このため、図１０に示すように、入浴者は頭を浴槽の背もたれ１３０に当てた状態で身体を仰向けにしなければならず、その際、顎を引いた窮屈な姿勢をとらざるを得ないので、首に負担が掛かり快適な全身浴を楽しむことができなかった。
【０００４】
本発明は以上の点に課題に鑑みて、少ない湯量で快適で安楽に全身浴を行える浴槽を提供することを目的とする。
【課題を解決するための手段】
【０００５】
上記目的を達成するため、本発明の浴槽は、内壁面に入浴者の背中を座臥姿勢で支えるための背もたれ部を備え、背もたれ部は底部から上縁まで連続して設けられて外方へ傾斜し、背もたれ部の高さ方向中間部の上下に離間した位置にそれぞれ二つの第一凹部を備え、この第一凹部はその周囲の背もたれ部から外側に向けて凹んで全周囲で背もたれ部に囲まれ、入浴者が後頭部を第一凹部に載せて浴槽内で仰向けの寝湯姿勢をとることができることを特徴としている。
本発明の浴槽は、好ましくは、前記内壁面の上縁に入浴者の頸部を支える第二凹部を備え、第二凹部及び第一凹部は内壁面の上下に離間した位置にそれぞれ設けられている。
本発明の浴槽において、前記第一凹部及び前記第二凹部は前記内壁面の上下に離間した位置にそれぞれ設けられ、入浴者が頸部を第二凹部に支えられて浴槽内で坐臥の姿勢をとることができるものでもよい。
本発明の浴槽は、前記内壁面と対向した他の内壁面の、前記第一凹部より低い位置に、入浴者の後頭部を載せる第三凹部を備えていてもよい。
本発明の浴槽は、底部の一方の端部にステップが形成され、ステップに対向する内壁面に第１凹部を備えた背もたれ部が形成されていてもよい。
【発明の効果】
【０００６】
本発明によれば、入浴者は、第一凹部より浅い、例えば２００〜２５０ｍｍ程度の高さまで湯を溜めて、座臥姿勢で半身浴が可能になると共に、浴槽内で後頭部を第一凹部に載せて仰向けの寝湯姿勢をとることで、全身浴を行うことができる。このとき、後頭部は第一の凹部に安定的に保持されるので、頸部が不自然に屈曲することなく、後頭部から背部に至る後部姿勢がほぼ直線状の自然なラインを保ち得ることから安楽な寝湯姿勢で全身浴を行なうことができる。また、本発明の浴槽によれば、少ない湯量で全身浴を行えることでランニングコストを低減できると共に省エネルギーにも貢献できる。
【発明を実施するための最良の形態】
【０００７】
以下、本発明の好適な実施形態について図１〜図６を参照しつつ詳細に説明する。
図１は本発明の実施の形態に係る浴槽１を示す斜視図である。図２は図１のＡ−Ａ線断面図である。
この浴槽１は、中央部が湯を溜めるための箱形に形成された本体部１０と、この本体部１０の上縁から水平方向外側に延出した周縁部２０と、から構成されている。本体部１０は、底部１１と底部１１の周辺から外方に立ち上がった側壁部１２とから構成されている。底部１１の一方の端部には、腰掛けなどに利用できるステップ１５が形成されており、このステップ１５に対向する側壁部の内壁面１７には底部１１から外方へ傾斜した背もたれ部１８が形成されている。
【０００８】
以上の構成は従来の浴槽と同様であるが、本発明の実施形態に係る浴槽１は、少ない湯量で入浴者が半身浴に加えて全身浴をも行えることを特徴としている。このため、背もたれ部１８には、その高さ方向における中間部に第一の凹部３０が形成されている。
この第一の凹部３０は、入浴者の後頭部を安定的に載せられるよう、例えば半球状の湾曲した凹面として形成されている。
上記第一の凹部３０は、背もたれ部１８の幅方向、図中の矢印Ｘ方向のほぼ中間に形成されているが、浴槽１のサイズに応じて左右の何れか一方に寄せて設けられても良い。
なお、第一凹部３０が設けられる底部からの高さＨは、一般人の体形に沿うよう、好ましくは２５０〜３００ｍｍに設定され、第一凹部の幅Ｗ（図１参照）は１２０〜１５０ｍｍ程度、深さＤ（図２参照）は２０〜５０ｍｍ程度に設計される。
【０００９】
このように構成された浴槽１によれば、入浴者は、寝湯姿勢で全身浴ができる程度の湯量になるまで湯を溜めて、例えば第一凹部３０より５０〜１００ｍｍ程度低い高さｈになるまで湯を溜めて、図２に示すように浴槽１内で後頭部を第一凹部３０に載せ、仰向け姿勢をとることで全身浴を行える。
【００１０】
よって、本実施形態の浴槽１によれば、約５割程度の湯量で全身浴を行うことができる。これにより、ランニングコストを低減できると共に省エネルギーにも貢献できる。
【００１１】
図３は、本発明の実施形態の第一変形例に係る浴槽１Ａを示す斜視図である。この浴槽１Ａは、第一の凹部３０が設けられた内壁面１７の上縁に、入浴者の頸部を支える第二の凹部３１が形成されている。
この浴槽１Ａによれば、上記実施形態と同様の効果を得られることに加え、少ない湯を溜めた状態で入浴者が背中を背もたれ部１８に支えられた座臥の姿勢をとることで、後頭部を安楽に保持した状態で半身浴を行うことが可能になる。この際、入浴者は、頭部を僅かに後方へ倒して頸部を第二凹部３１に支えることで、図４に示すように、半身浴を行いながら楽な姿勢をとることができる。
【００１２】
図５は、本発明の実施形態の第二変形例に係る浴槽１Ｂの断面図である。この浴槽１Ｂは、第一凹部３０を内壁面１７の上下に離間した位置にそれぞれ設けていることを特徴としている。この浴槽１Ｂによれば、湯量に応じて上下に配設された第一凹部３０，３０の何れかを選択することで、快適で安楽に全身浴を行える。
【００１３】
図６は、本発明の実施形態の第三変形例に係る浴槽１Ｃの断面図である。この浴槽１Ｃは、上述の実施形態に係る浴槽１と異なり、ステップ１５を備えずに構成され、内壁面１７と対向した他の内壁面１９に、内壁面１７における第一凹部３０の高さＨより低い位置に、入浴者の後頭部が載せられる第三凹部３２を備えたことを特徴としている。
この浴槽１Ｃの第三凹部３２に後頭部を載せて横たわることで、背中を底部１１に付けた状態の寝湯の姿勢で身体後部の温浴がより少ない湯量で可能になる。また、第一凹部３０または第三凹部３２の何れかを選択することで、浴槽１Ｃ内における向きを変えることができる。これにより、例えば、入浴者のその日の気分で浴槽１Ｃにおける体の向きを変えることができる。
【００１４】
本発明はその趣旨を逸脱しない範囲で、記述した以外の様々な形態で実施をすることができる。第一，第二，第三の各凹部は後頭部を安楽に載せて支えることができる限り、何れの形状、深さであってもよい。各凹部の高さは浴槽のサイズとの関係で適宜最適位置を設定することができる。凹部の表面に撥水性のクッション部材を取り付ければ、後頭部がより快適に支持され得る。
【図面の簡単な説明】
【００１５】
【図１】本発明の実施形態に係る浴槽を示す斜視図である。
【図２】図１のＡ−Ａ線断面図であるである。
【図３】本発明の実施形態の第一変形例に係る浴槽を示す斜視図である。
【図４】図３の浴槽の使用状態を示す斜視図である。
【図５】本発明の実施形態の第二変形例に係る浴槽の断面図である。
【図６】本発明の実施形態の第三変形例に係る浴槽の断面図である。
【図７】従来の浴槽を示す斜視図である。
【図８】従来の浴槽の入浴法を示す図である。
【図９】従来の浴槽の入浴法を示す図である。
【図１０】従来の浴槽における問題点を説明するための図である。
【符号の説明】
【００１６】
１，１Ａ，１Ｂ，１Ｃ    浴槽
１０    本体部
１１    底部
１２    側壁部
１７    内壁面
１８    背もたれ部
１９    内壁面
２０    周縁部
３０    第一凹部
３１    第二凹部
３２    第三凹部
【図１】
0005339711.tif 000002
【図２】
0005339711.tif 000003
【図３】
0005339711.tif 000004
【図４】
0005339711.tif 000005
【図５】
0005339711.tif 000006
【図６】
0005339711.tif 000007
【図７】
0005339711.tif 000008
【図８】
0005339711.tif 000009
【図９】
0005339711.tif 000010
【図１０】
0005339711.tif 000011